(57)【要約】【課題】給水・給湯配管用ループ管とスプリンクラー消火配管用ループ管とを天井の一箇所に且つ同時に敷設することのできる給水・給湯配管及びスプリンクラー消火配管システムを提供する。【解決手段】その一部に給水・給湯配管の主管４，８が接続され、他の数箇所に分岐管６，１０が接続された給水・給湯配管用ループ管１，２と、その一部にスプリンクラー消火配管の主管１２が接続され、他の数箇所に分岐管１４が接続されたスプリンクラー消火配管用ループ管３とを同一もしくは略同一外径に形成する。これら給水・給湯配管用ループ管１，２とスプリンクラー消火配管用ループ管３とを同心状に且つ上下方向に所定間隔置きに重ねて一体的に組み合わせてループ配管ユニット１７を作り、このループ配管ユニットを天井に敷設する。【選択図】図１
2008067818.tif 000002
【特許請求の範囲】
【請求項１】
その一部に給水・給湯配管の主管が接続され、他の数箇所に分岐管が接続された給水・給湯配管用ループ管と、その一部にスプリンクラー消火配管の主管が接続され、他の数箇所に分岐管が接続されたスプリンクラー消火配管用ループ管とを同一外径もしくは略同一外径に形成し、これら給水・給湯配管用ループ管とスプリンクラー消火配管用ループ管とを同心状に且つ上下方向に所定間隔置きに重なり状に一体的に組み合わせたループ配管ユニットを作り、このループ配管ユニットを天井に敷設していることを特徴とする、給水・給湯配管及びスプリンクラー消火配管システム。
【請求項２】
前記ループ配管ユニットは、前記給水・給湯配管用ループ管と前記スプリンクラー消火配管用ループ管とを天井に固定される支持固定部材で一体的に組み合わせてなる、請求項１記載の給水・給湯配管及びスプリンクラー消火配管システム。
【請求項３】
その一部に給水・給湯配管の主管が接続され、他の数箇所に分岐管が接続された給水・給湯配管用ループ管と、該給水・給湯配管用ループ管の外径と同一径もしくは略同一径のループ形状に形成され、且つその一部にスプリンクラー消火配管の主管が接続されるとともに、他の数箇所に分岐管が接続されたスプリンクラー消火配管用ループ管とを、予め同心状に且つ上下方向に所定間隔置きに重なり状に一体的に組み合わせ、しかる後天井に敷設することを特徴とする、給水・給湯配管及びスプリンクラー消火配管工法。
【発明の詳細な説明】
【技術分野】
【０００１】
本発明は、集合（共同）住宅等に設置される給水・給湯配管及びスプリンクラー消火配管システム、並びにその配管工法に関する。
【背景技術】
【０００２】
従来、集合住宅の住戸内の給水・給湯配管工法として、その配管の主管と各水栓に接続される分岐管との間に、予め工場生産したループ形状のポリブテン等合成樹脂製の給水・給湯配管用ループ管を採用することは公知である（例えば、特許文献１参照。）。他方、集合住宅のスプリンクラー消火配管として、その配管の主管と各スプリンクラー・ヘッドに接続される分岐管との間に、同じく予め工場生産したループ形状のポリブテン等合成樹脂製のスプリンクラー消火配管用ループ管を採用することも公知である（例えば、特許文献２参照。）。
【０００３】
【特許文献１】特開平１０−８８６３１号公報
【特許文献２】特開平１０−３１４３３２号公報
【発明の開示】
【発明が解決しようとする課題】
【０００４】
しかしながら、これまでは給水・給湯配管とスプリンクラー消火配管とは異なる工程での施工となり、特に前者も天井敷設の場合には、その工程や配管スペースに調整が不可欠であった。
【０００５】
そこで、本発明はこのような問題を解決するためになされたものであり、その目的とするところは、上記のような配管の主管と分岐管の間にループ管を採用する工法を、両用途の配管（給水・給湯配管とスプリンクラー消火配管）に付与し、そのループ管の基本形状を合わせることによって、天井の一箇所に且つ同時に敷設することを可能にし、もって給水・給湯配管及びスプリンクラー消火配管の施工簡略化、施工コストの低減、配管スペースの狭小化を図れる給水・給湯配管及びスプリンクラー消火配管システム、並びにその配管工法を提供することにある。
【課題を解決するための手段】
【０００６】
本発明の給水・給湯配管およびスプリンクラー消火配管システムは、請求項１に記載のように、その一部に給水・給湯配管の主管が接続され、他の数箇所に分岐管が接続された給水・給湯配管用ループ管と、その一部にスプリンクラー消火配管の主管が接続され、他の数箇所に分岐管が接続されたスプリンクラー消火配管用ループ管とを同一外径もしくは略同一外径に形成し、これら給水・給湯配管用ループ管とスプリンクラー消火配管用ループ管とを同心状に且つ上下方向に所定間隔置きに重なり状に一体的に組み合わせたループ配管ユニットを作り、このループ配管ユニットを天井に敷設していることに特徴を有するものである。
このように給水・給湯配管用ループ管とスプリンクラー消火配管用ループ管とを同一外径もしくは略同一外径としたうえで同心状に且つ上下方向に所定間隔置きに重なり状に一体的に組み合わせたループ配管ユニットを作ることにより、給水・給湯配管用ループ管とスプリンクラー消火配管用ループ管とを天井の一箇所に且つ同時に敷設することができるに至った。
【０００７】
請求項１記載の給水・給湯配管およびスプリンクラー消火配管システムは、請求項２に記載のように、前記ループ配管ユニットは、前記給水・給湯配管用ループ管と前記スプリンクラー消火配管用ループ管とを天井に固定される支持固定部材で一体的に組み合わせてなるものとすることができる。これによれば、天井に支持固定部材を固定するだけの簡単な作業で給水・給湯配管用ループ管とスプリンクラー消火配管用ループ管とを天井の一箇所に且つ同時に敷設することができる。
【０００８】
本発明の給水・給湯配管及びスプリンクラー消火配管工法は、請求項３に記載のように、その一部に給水・給湯配管の主管が接続され、他の数箇所に分岐管が接続された給水・給湯配管用ループ管と、該給水・給湯配管用ループ管の外径と同一径もしくは略同一径のループ形状に形成され、且つその一部にスプリンクラー消火配管の主管が接続されるとともに、他の数箇所に分岐管が接続されたスプリンクラー消火配管用ループ管とを、予め同心状に且つ上下方向に所定間隔置きに重なり状に一体的に組み合わせ、しかる後天井に敷設することに特徴を有するものである。
このように構成された給水・給湯配管及びスプリンクラー消火配管工法によれば、給水・給湯配管用ループ管とスプリンクラー消火配管用ループ管とを天井の一箇所に且つ同時に敷設することができる。
【発明の効果】
【０００９】
本発明の給水・給湯配管及びスプリンクラー消火配管システム、およびその配管工法によれば、給水・給湯配管用ループ管とスプリンクラー消火配管用ループ管とを天井の一箇所に且つ同時にその敷設作業を行うことができるので、給水・給湯配管とスプリンクラー消火配管の施工簡略化、施工コストの低減、配管スペースの狭小化を図ることができて有利である。
【発明を実施するための最良の形態】
【００１０】
本発明の好適な実施形態を図面に基づき説明する。図１は本発明の一実施例を示す給水・給湯配管及びスプリンクラー消火配管システムの斜視図、図２は天井への敷設例を示す縦断正面図、図３は図２におけるＡ部の拡大図である。
【００１１】
図１において、給水・給湯配管及びスプリンクラー消火配管システムはポリブテンやポリエチレン等の合成樹脂製の給水・給湯配管用ループ管１，２とスプリンクラー消火配管用ループ管３とからなり、給水・給湯配管用ループ管１，２及びスプリンクラー消火配管用ループ管３の形状は原則として円形とし、各ループ管１，２，３の外径は全て同一径もしくは略同一径とする。
【００１２】
ポリブテン等の合成樹脂製の給水配管用ループ管１にはその一箇所に給水配管の同一合成樹脂製の主管４がＴ字型継手など管継手５を介して接続され、他の数箇所に同一合成樹脂製の分岐管６がＴ字型あるいはＹ字型継手など管継手７を介して接続されている。各管１，４，６と各管継手５，７との接合は水漏れなく信頼性の高い熱融着とする。
ポリブテン等の合成樹脂製の給湯配管用ループ管２にはその一箇所に給湯配管の同一合成樹脂製の主管８がＴ字型継手など管継手９を介して接続され、他の数箇所に同一合成樹脂製の分岐管１０がＴ字型あるいはＹ字型継手など管継手１１を介して接続されている。この場合においても、各管２，８，１０と各管継手９，１１との接合は熱融着とする。
ポリブテン等の合成樹脂製のスプリンクラー消火配管用ループ管３にはその一箇所にスプリンクラー消火配管の同一合成樹脂製の主管１２がＴ字型継手など管継手１３を介して接続され、他の数箇所に同じ合成樹脂製の分岐管１４がＴ字型あるいはＹ字型継手など管継手１５を介して接続されている。各管３，１２，１４と各管継手１３，１５との接合は熱融着とする。
このような給水配管用ループ管１、給湯配管用ループ管２、及びスプリンクラー消火配管用ループ管３は配管設計図に基づき工場生産される。
【００１３】
これら同一もしくは略同一外径の給水配管用ループ管１、給湯配管用ループ管２、及びスプリンクラー消火配管用ループ管３は、工場又は現場において、同心状に且つ上下方向に所定間隔置きに重なる三重状態に支持固定部材１６で一体的に組み合わされてループ配管ユニット１７とされる。図示例の三重ループ配管では最上段にスプリンクラー消火配管用ループ管３を、中間に給水配管用ループ管１を、最下段に給湯配管用ループ管２を順次配列してなるが、その配列順は任意に変えることができる。
【００１４】
上記支持固定部材１６は、たとえば、図２、図３に示すように、天井１８に垂下状にボルト１９等で固定される固定具本体２０と、この固定具本体２０に一体的に取り付けられ、対象の給水配管用ループ管１、給湯配管用ループ管２、スプリンクラー消火配管用ループ管３のそれぞれを締め付ける合成樹脂製の拡縮径自在なクリップ部材２１とを備える。クリップ部材２１としては、たとえば、固定具本体２０にビス２２等で一体的に取り付けられる固定基部２３と、この固定基部２３に薄肉の一体成形ヒンジ２４ａ，２４ｂを介して一体形成された拡縮径自在な一対の半割り抱持筒部片２５ａ，２５ｂからなる抱持筒部２５とを有するものが用いられる。この場合、図３のように、一方の抱持筒部片２５ｂの開離側先端部に係止爪２７を設け、もう一方の抱持筒部片２５ａの開離側先端部に複数個の係合溝部２８・・・群を定ピッチで列設して、係合溝部２８・・・群のうち任意の係合溝部２８に係止爪２７を係合させることにより、対象のループ管１，２，３を抱持筒部２５の内周面との接触面間で摩擦力を生じるように締め付けられるようにしてある。
【００１５】
次に、上記給水・給湯配管及びスプリンクラー消火配管システムを用いての工法について説明する。
【００１６】
予め、工場で、図１に示すように、給水配管用ループ管１、給湯配管用ループ管２、及びスプリンクラー消火配管用ループ管３が同心状に且つ上下方向に所定間隔置きに重なる三重状態に支持固定部材１６で一体的に組み合わされてループ配管ユニット１７とされている場合は、現場では、図２に示すように、支持固定部材１６を天井１８の所定箇所にボルト１９等で固定するだけで、給水・給湯配管用ループ管１，２とスプリンクラー消火配管用ループ管３とを天井１８の一箇所に且つ同時に敷設することができる。なお、現場では給水・給湯配管用ループ管１，２の分岐管６，１０はキッチン水栓やシャワー水栓等の各水栓（図示せず）に接続され、スプリンクラー消火配管用ループ管３の分岐管１４は各スプリンクラ−・ヘッド（図示せず）に接続される。
【００１７】
工場で給水配管用ループ管１、給湯配管用ループ管２、及びスプリンクラー消火配管用ループ管３が上記のようにループ配管ユニット１７にユニット化されていない場合は、現場で天井１８に敷設する前に予め図１のようにループ配管ユニット化することになるが、こうした場合においても、天井１８への敷設時には図２のように支持固定部材１６を天井１８の所定箇所にボルト１９等で固定するだけの簡単な作業で給水・給湯配管用ループ管１，２とスプリンクラー消火配管用ループ管３とを天井１８の一箇所に且つ同時にその敷設作業を行うことができ、現場施工性に優れる。
【００１８】
なお、支持固定部材１６としては、上記構造のように複数個の支持固定部材１６からなるものに限られず、その他に、例えば、図４に示すように単一の支持固定部材１６の固定具本体２０に、対象の給水配管用ループ管１、給湯配管用ループ管２、スプリンクラー消火配管用ループ管３のそれぞれを締め付ける合成樹脂製の拡縮径自在なクリップ部材２５を必要個数だけ取り付けたものであってもよい。これによれば、天井１８に対し単一の支持固定部材１６をボルト１９等で固定するだけでループ配管ユニット１７を支持固定することができるため、より簡単な施工で済む。
要するに、支持固定部材１６は、同一もしくは略同一外径の給水配管用ループ管１、給湯配管用ループ管２、及びスプリンクラー消火配管用ループ管３を同心状に且つ上下方向に所定間隔置きに重ねる三重状態に一体的に組み合わすことのできるものであればよく、適宜変更を加えて実施することができる。
【図面の簡単な説明】
【００１９】
【図１】本発明の一実施例を示す給水・給湯配管及びスプリンクラー消火配管システムの斜視図である。
【図２】天井への敷設例を示す縦断正面図である。
【図３】図２におけるＡ部の拡大図である。
【図４】他の実施例を図２に相応して示す縦断正面図である。
【符号の説明】
【００２０】
１  給水配管用ループ管
２  給湯配管用ループ管
３  スプリンクラー消火配管用ループ管
４  給水配管の主管
６  給水配管の分岐管
８  給湯配管の主管
１０  給湯配管の分岐管
１２  スプリンクラー消火配管の主管
１４  スプリンクラー消火配管の分岐管
１６  支持固定部材
１７  ループ配管ユニット
１８  天井
【図１】
2008067818.tif 000003
【図２】
2008067818.tif 000004
【図３】
2008067818.tif 000005
【図４】
2008067818.tif 000006